(57)【特許請求の範囲】
【請求項１】
握り柄の一端又は両端に球形のゲージ球を固設し、前記握り柄及びゲージ球の中心に軸体を可動自在に貫通すると共に、前記軸体の先端部に前記ゲージ球を遊技盤面から離隔させる弧状部を設け、他方、前記ゲージ球の先端部には前記弧状部を収納可能な切溝を形成したことを特徴とするパチンコ機等の釘調整用ゲージ。
【請求項２】
前記弧状部の先端面をゲージ球の中心と中心を同じくする球面で形成したことを特徴とする請求項１記載のパチンコ機等の釘調整用ゲージ。
【請求項３】
前記弧状部が前記軸体の両先端部に設けられていることを特徴とする請求項１又は請求項２記載のパチンコ機等の釘調整用ゲージ。
【請求項４】
前記切溝が前記ゲージ球の両先端部に設けられていることを特徴とする請求項１乃至請求項３のいずれかに記載のパチンコ機等の釘調整用ゲージ。
【請求項５】
前記握り柄には、前記軸体に設けられたメモリを表示する表示窓が設けられていることを特徴とする請求項１乃至請求項４のいずれかに記載のパチンコ機等の釘調整用ゲージ。
【請求項６】
前記軸体は、一方のゲージ球から他方のゲージ球までの軸方向長さよりも長く形成されていることを特徴とする請求項１乃至請求項５のいずれかに記載のパチンコ機等の釘調整用ゲージ。
【請求項７】
前記軸体の一端側に設けられた弧状部を押し込むと該軸体の他端側に設けられた弧状部が前記ゲージ球から突出するようにしたことを特徴とする請求項１乃至請求項６のいずれかに記載のパチンコ機等の釘調整用ゲージ。
【発明の詳細な説明】
【０００１】
【発明の属する技術分野】
本発明は、パチンコ機等の釘調整用ゲージに係り、特にパチンコ球の入賞を左右する命釘と称される障害釘（以下、命釘という。）の間隔を容易かつ正確に調整することができるパチンコ機等の釘調整用ゲージに関するものである。
【０００２】
【従来の技術】
パチンコ機等の遊技盤面には、多くの各種入賞口が配設されているが、該各入賞口にパチンコ球が入賞するか否かは命釘の調整によって大きく左右される。このような命釘の調整においては、握り柄の一端又は両端にゲージ球を取付けたゲージが用いられており、該ゲージの先端のゲージ球を命釘間に通過させ、該ゲージ球の最幅広部分（ゲージ球の直径幅）の通り具合を確認しながら命釘の間隔を調整するのが一般的である。そして、かかる従来のゲージによる命釘の調整は、パチンコ球が遊技盤を流下して命釘間を通過するであろう位置を経験や感に頼りながら予測して最も適切と思われる位置にゲージ球を合わせて調整していたため、正確に調整するにはかなりの熟練を必要としていた。そこで、釘の調整に熟練しない者にあっては、できる限り一定した位置で釘の調整がなし得るように遊技盤にゲージ球を当接させながら命釘間を通過させて調整する等の手段が講じられていた。
【０００３】
【発明が解決しようとする課題】
しかしながら、ゲージ球を遊技盤に当接させながら調整しようとするならば、ゲージ球の最幅広部分の通過位置がゲージ球の直径の違いにより異なってくるため、異なる直径のゲージ球が取付けられたゲージを使うごとにゲージ球と命釘の接触部分が変化して一定の位置を基準に釘調整を行うことができず、このような使い方では正確な計測が不可能であった。
【０００４】
そこで、本発明は上記した課題を解決するべくなされたもので、遊技盤から一定の距離をとった所定位置にゲージのゲージ球が常に位置するようにして経験や感に頼ることなく、誰もが容易かつ正確に命釘の調整をすることができるようにしたことを目的とするものである。
【０００５】
【課題を解決するための手段】
上記目的を達成するために本発明は、握り柄の一端又は両端に球形のゲージ球を固設すると共に、該ゲージ球の先端に該ゲージ球を遊技盤面から離隔させる突起部を設けたことを特徴とするものである。
【０００６】
また、前記突起部の先端面をゲージ球の中心と中心を同じくする球面で形成しておくことが望ましい。このように形成することでたとえゲージが遊技盤面に対して傾斜していてもゲージ球の位置を一定に保って正確な調整が可能となる。
【０００７】
【発明の実施の形態】
次に、図面を参照して本発明の一実施の形態について説明する。図１は本発明に係る釘調整用ゲージの斜視図、図２はその平面図である。図１、図２に示す釘調整用ゲージは、握り柄１の両端にゲージ球２，２がそれぞれ固設され、さらに該ゲージ球２，２の先端には突起部３，３が一体的に延設されている。
【０００８】
前記握り柄１は金属材料その他の材料により丸棒状に形成され、該握り柄１の両端近傍にはゲージ球２，２の直径値を表示するための表示部４ａ，４ｂ，５ａ，５ｂがそれぞれ設けられている。また、握り柄１の両端にはそれぞれ螺子部６，６が形成されている。なお、握り柄１は、図示された形状のものに限られず、握り易い適宜形状、例えば断面多角形状等に形成してもよい。
【０００９】
前記ゲージ球２，２は、一方がパチンコ球の直径と等しい直径である11.00mm、他方はそれよりもわずかに径の大きい11.01mm、あるいは一方を11.02mm、他方を11.03mmというように少しずつ径の大きさを異ならせて形成されている。また、該ゲージ球２，２の後端には前記した握り柄１の螺子部６，６をねじ込む螺子孔７，７が穿設されており、必要に応じて径の異なるゲージ球を適宜選択して簡単に取り替えることができるようにされている。
【００１０】
さらに、前記ゲージ球２，２の先端には、該ゲージ球２，２の直径よりも短い直径の円柱形状に形成された突起部３，３が一体的に設けられている。そして、この突起部３，３は、それぞれ握り柄１の軸心線上にその中心が位置するように設けられていると共に、その先端面８，８はゲージ球２の中心と中心を同じくする球面で形成されている。また、突起部３，３の軸方向長さはゲージ球２，２の位置が常に遊技盤９から一定の距離に位置するように設定されている。例えば、ゲージ球２の直径が11.00mmの場合に突起部３の軸方向長さをＳと設定したとすると、ゲージ球２の直径が11.01mmの場合には突起部３の軸方向長さはＳ−0.005mm、ゲージ球の直径が11.05mmの場合には突起部３の軸方向長さはＳ−0.025mmに設定されることになる。このように、直径が異なるゲージ球毎に突起部３，３の長さを調整することで、いかなる直径のゲージ球２を用いた場合でも該ゲージ球２の最幅広部分は遊技盤９から一定の距離に位置することになる。なお、突起部３，３は、ゲージ球２，２と別体に形成してもよく、また、突起部３，３の先端面８，８はゲージ球２，２の中心と中心を同じくする球面で形成されていれば、図４に示すように横断面十字状にしてもよい。さらに、ゲージを遊技盤に対して垂直に移動させる場合にはゲージ球２，２の先端面をあえて球面とする必要は必ずしもなく、先端面を平坦面にしてもよい。
【００１１】
本発明は以上のように構成されており、以下図３に従ってその使用方法について説明する。まず、作業者が必要に応じた径のゲージ球２を備えたゲージを選択する。そして、該ゲージを手に持ってゲージ球２を命釘１０，１０間に介在させると共に突起部３の先端面８を遊技盤９に当接させながら通過させる。この場合においてゲージ球２が抵抗を受けることなく通過するようであれば、作業者の好みに応じて命釘１０，１０の間隔をハンマー等によって狭め、逆に、ゲージ球２が命釘１０，１０によって抵抗を受けて停滞するようであれば命釘１０，１０の間隔を拡げていく。
【００１２】
この場合、突起部３の軸方向長さは、ゲージ球２，２の位置が常に遊技盤９から一定の距離に位置するように設定されていることから、その位置を経験や感に頼る必要がなくなり、誰もが容易かつ正確に命釘を調整することが可能となる。また、調整を行う際、突起部３を遊技盤面９に当接させながら命釘１０，１０間を通過させればよいのでゲージ球２の位置が調整中にぶれたりすることなく安定した状態で行うことができる。
【００１３】
また、突起部３の先端面８をゲージ球２の中心と中心を同じくする球面に形成していることから、握り柄１を遊技盤９に直交させる必要性は必ずしもなく、握り柄１が遊技盤９に対して傾斜した状態であってもゲージ球２の位置は命釘１０，１０間の一定の位置を保持し、常に適切な調整ができる。
【００１４】
図５は他の実施の形態に係る釘調整用ゲージを示すものである。この他の実施の形態に係る釘調整用ゲージは握り柄５０の両端にゲージ球５１，５１が固設されると共に該握り柄５０及びゲージ球５１，５１の中心に、突起部５２，５２を兼用する軸体５３が可動自在に貫通している。また、軸体５３の両先端部分には弧状部５４が設けられており、さらに、ゲージ球５１，５１の両先端部分には弧状部５４，５４を収容可能な切溝５５が形成されている。
【００１５】
前記握り柄５０及びゲージ球５１，５１には長手方向に貫通した長孔５６が設けられている。また、握り柄５０の中央部分には後述する軸体５３の目盛を表示する表示窓５７が開口されている。さらに、ゲージ球５１，５１の両先端部分には突起部５２，５２の弧状部５４，５４が収容される切溝５５が形成されている。
【００１６】
前記軸体５３は、一方のゲージ球５１から他方のゲージ球５１までの軸方向長さよりも所定長さ長く形成されており、握り柄５０の長孔５６に可動自在に挿通されている。また、軸体５３の両端には、釘調整において遊技盤に当接する弧状部５４，５４が固設されている。さらに、軸体５３の外周面には目盛が刻み込まれており、握り柄５０の表示窓５７に表示されるようになっている。
【００１７】
そして、この釘調整用ゲージを使用する場合、まず、軸体５３の一端側の弧状部５４を押し込んで他端側の弧状部５４をゲージ球５１から突出させ、突起部５２を形成する。この場合、握り柄５０の表示窓５７には、軸体５３の目盛が表示されており、突起部５２の突出長さが容易に確認できるようになっている。従って、表示された目盛を見ながら、突起部５２の突出量を自由に調整することができる。
【００１８】
このように本実施の形態に示したゲージは、軸体５３(突起部５２)を可動自在に設けて突起部５２の突出量を自由に調整できるようにしたことから、突起部５２の突出量の調整次第で命釘の根元側から頭側までのいずれの位置にもゲージ球５１を位置させることができる。また、直径が異なるゲージ球５１を取付けた複数のゲージを使用する場合、各ゲージの突起部５２について適宜突出量を調節すれば、いずれのゲージを用いてもゲージ球５１の最幅広部分が遊技盤から一定の距離に位置するようにできる。しかも、突起部５２の突出量は表示窓５７に表示された目盛によって確認することができるので、突起部５２の突出量の調整はこの目盛を確認しながらきわめて容易に行うことができる。さらに、突起部５２の突出量の調整は一端側の弧状部５４を指等を用いて押し込み、軸体５３を可動させるだけでよいのできわめて簡単に行うことができる。
【００１９】
【発明の効果】
以上説明したところから明らかなように、本発明に係るパチンコ機等の釘調整用ゲージはゲージ球の先端に突起部を設けて、遊技盤から一定の距離にゲージ球が位置するようにしたことから経験や感に頼ることなく、誰もが遊技盤に植設された命釘を容易かつ正確に調整することができる。
【００２０】
また、ゲージ球の先端に設けられた突起部の先端面をゲージ球の中心と中心を同じくする球面で形成したことからゲージを傾斜させた状態においても正確に釘調整をすることができる。
【図面の簡単な説明】
【図１】本発明である釘調整用ゲージの斜視図である。
【図２】本発明である釘調整用ゲージの平面図である。
【図３】本発明である釘調整用ゲージの使用状態を示す平面図である。
【図４】突起部先端面の他の実施形態を示す斜視図である。
【図５】本発明に係る釘調整用ゲージの他の実施の形態を示す平面図である。
【符号の説明】
１              握り柄
２              ゲージ球
３              突起部
８              先端面
９              遊技盤
【図１】
0004144118.tif 000002
【図２】
0004144118.tif 000003
【図３】
0004144118.tif 000004
【図４】
0004144118.tif 000005
【図５】
0004144118.tif 000006